(57)【要約】  前面及び後面であって、前面及び後面のうち少なくとも１つは、瞳孔の明順応開口に対応する第１の表面領域と、瞳孔の明順応開口と中間順応開口との間の差に対応する第２の表面領域とを含む前面及び後面を含む眼科用レンズ。第１の表面領域に形成されている第１の微細構造パターンであって、明順応視のための完全焦点深度を与えるように入射光の光路に位相摂動を導入する第１の微細構造パターン。
2021520875.tif 000002
【特許請求の範囲】
【請求項１】
前面及び後面であって、前記前面及び後面のうち少なくとも１つは、瞳孔の明順応開口に対応する第１の表面領域と、前記瞳孔の前記明順応開口と中間順応開口との間の差に対応する第２の表面領域とを含む前面及び後面と、
前記第１の表面領域に形成されている第１の微細構造パターンであって、明順応視のための完全焦点深度を与えるように入射光の光路に位相摂動を導入する第１の微細構造パターンと
を含む眼科用レンズ。
【請求項２】
前記第２の表面領域は、屈折力を有し、前記中間順応開口において単焦点視を与える、請求項１に記載の眼科用レンズ。
【請求項３】
前記第２の表面領域に形成されている第２の微細構造パターンを更に含み、前記第２の微細構造パターンは、前記中間順応開口において二焦点視を与えるように構成されている、請求項１に記載の眼科用レンズ。
【請求項４】
前記第２の表面領域に形成されている第２の微細構造パターンを更に含み、前記第２の微細構造パターンは、前記中間順応開口において三焦点視を与えるように構成されている、請求項１に記載の眼科用レンズ。
【請求項５】
前記第１の微細構造パターンは、段差パターンによって規定されている、請求項１に記載の眼科用レンズ。
【請求項６】
前記段差パターンは、段差高、段差幅、及び位相値によって規定されている、請求項５に記載の眼科用レンズ。
【請求項７】
眼内レンズの光軸に沿って可視光の焦点深度を拡大する第１の微細構造パターンであって、瞳孔の明順応開口に対応する光学ゾーンの第１の表面領域に形成されている第１の微細構造パターン
を含む眼内レンズ。
【請求項８】
前記瞳孔の前記明順応開口と中間順応開口との間の差に対応する前記光学ゾーンの第２の表面領域を更に含み、前記第２の表面領域は、屈折力を有する、請求項７に記載の眼内レンズ。
【請求項９】
前記瞳孔の前記明順応開口と中間順応開口との間の差に対応する前記光学ゾーンの第２の表面領域に形成されている第２の微細構造パターンを更に含み、前記第２の微細構造パターンは、二焦点回折構造を含む、請求項７に記載の眼内レンズ。
【請求項１０】
前記瞳孔の前記明順応開口と中間順応開口との間の差に対応する前記光学ゾーンの第２の表面領域に形成されている第２の微細構造パターンを更に含み、前記第２の微細構造パターンは、三焦点回折構造を含む、請求項７に記載の眼内レンズ。
【請求項１１】
前記瞳孔の前記明順応開口と中間順応開口との間の差に対応する前記光学ゾーンの第２の表面領域に形成されている第２の微細構造パターンを更に含み、前記第１の微細構造パターンは、第１の段差パターンによって規定されており、前記第２の微細構造パターンは、第２の段差パターンによって規定されている、請求項７に記載の眼内レンズ。
【請求項１２】
前記第１の段差パターンは、第１の段差高、第１の段差幅、及び第１の位相値によって規定されており、
前記第２の段差パターンは、第２の段差高、第２の段差幅、及び第２の位相値によって規定されている、請求項１１に記載の眼科用レンズ。
【発明の詳細な説明】
【技術分野】
【０００１】
本開示は一般的に、眼科用レンズに関し、より詳細には、老眼矯正完全焦点深度眼科用レンズに関する。
【背景技術】
【０００２】
人の眼は、眼の瞳孔に入る光の焦点を網膜に合わせるように意図されている角膜及び水晶体を含む。しかし、眼は、光の焦点が適切に網膜に合わないことになる様々な屈折誤差を示すことがあり、その結果、視力が低下することがある。眼球の収差は、近視、遠視、又は正乱視を引き起こす比較的単純な球面及び円柱誤差から、例えばハロー及びスターバーストを人の視力に引き起こすことがあるより複雑な屈折誤差に及ぶことがある。
【０００３】
様々な眼球の収差を補正するために、長年にわたって多くの診療が行われている。これらの診療は、眼鏡、コンタクトレンズ、角膜屈折矯正手術（例えば、レーザー支援原位置角膜切開反転術（ＬＡＳＩＫ）又は角膜移植）、及び眼内レンズ（ＩＯＬ）を含む。近視、遠視及び乱視の治療のための球面円柱眼鏡及びコンタクトレンズの診断及び仕様は、既に確立されている。
【０００４】
老眼は、人の眼が近距離で物体をはっきりと見る能力を失う状態を表す。患者が比較的近距離で物体に焦点を合わせるのに役立つために、多焦点機能を有する眼科用レンズが開発されている。
【０００５】
特に、患者が２つ又は３つの焦点面で同時に焦点を合わせることができる多焦点機能を有するＩＯＬが開発されている。しかし、多焦点ＩＯＬは通常、近距離から無限遠距離までの全視界を与えることができない。
【０００６】
更に、拡大焦点深度（ＥＤＦ）機能を有するＩＯＬが開発されている。しかしながら、焦点深度の拡大は、患者の老眼を完全に矯正するにはあまりにも制限されている。従って、近距離から無限遠距離まで連続的に完全焦点深度（ＦＤｏＦ）を与える焦点深度拡大を与えるシステム及び方法が必要である。
【発明の概要】
【課題を解決するための手段】
【０００７】
特定の実施形態において、眼科用レンズは、前面及び後面であって、前面及び後面のうち少なくとも１つは、瞳孔の明順応開口に対応する第１の表面領域と、瞳孔の明順応開口と中間順応開口との間の差に対応する第２の表面領域とを含む前面及び後面を含む。第１の表面領域に形成されている第１の微細構造パターンであって、第１の微細構造パターンは、明順応視のための完全焦点深度を与えるように入射光の光路に位相摂動を導入する。
【０００８】
特定の実施形態において、第２の表面領域は、屈折力を有してもよい。代わりに、第２の微細構造パターンは、第２の表面領域に形成されていてもよい。特定の実施形態において、第２の微細構造パターンは、二焦点回折構造又は三焦点回折構造を含んでもよい。
【０００９】
本発明及び本発明の特徴及び利点のより完全な理解のために、添付図面と併せて、下記の説明をここで参照する。
【図面の簡単な説明】
【００１０】
【図１】例示的なＩＯＬの図である。
【図２】異なる瞳孔開口の図である。
【図３Ａ−３Ｂ】距離主特性及び近主特性を有する明順応開口における貫通焦点エネルギー分布の線図をそれぞれ示す。
【図４Ａ−４Ｂ】図３Ａ及び図３Ｂに示す線図に対応する明順応開口における貫通焦点像をそれぞれ示す。
【図５Ａ−５Ｂ】図５Ａは、明順応開口を越えて屈折力を有する位相摂動のための明順応微細構造の断面図である。図５Ｂは、典型的な単焦点レンズに対応する貫通焦点中間順応エネルギー分布と比較して図５Ａに示す微細構造に対応する中間順応開口における貫通焦点エネルギー分布の線図を示す。
【図６Ａ−６Ｂ】図５Ａに示す微細構造に対応する中間順応開口及び典型的な単焦点レンズにおける貫通焦点像をそれぞれ示す。
【図７Ａ−７Ｂ】図７Ａは、明順応開口を越えて二焦点回折微細構造を含む位相摂動のための回折微細構造の断面図である。図７Ｂは、典型的な二焦点レンズに対応する貫通焦点中間順応エネルギー分布と比較して図７Ａに示す微細構造に対応する中間順応開口における貫通焦点エネルギー分布の線図を示す。
【図８Ａ−８Ｂ】図７Ａに示す微細構造に対応する中間順応開口及び典型的な二焦点レンズにおける貫通焦点像をそれぞれ示す。
【図９Ａ−９Ｂ】図９Ａは、明順応開口を越えて三焦点回折微細構造を含む位相摂動のための回折微細構造の断面図である。図９Ｂは、典型的な三焦点レンズに対応する貫通焦点中間順応エネルギー分布と比較して図９Ａに示す微細構造に対応する中間順応開口における貫通焦点エネルギー分布の線図を示す。
【図１０Ａ−１０Ｂ】図９Ａに示す微細構造に対応する中間順応開口及び典型的な三焦点レンズにおける貫通焦点像をそれぞれ示す。
【発明を実施するための形態】
【００１１】
例示的な実施形態は、ＩＯＬ及びコンタクトレンズなどの眼科用デバイスに関する。下記の説明を、当業者が本発明を製造して使用することができるように提示し、特許出願及び特許出願の要件の文脈で与える。ここに記載の例示的な実施形態、一般的原理及び特徴の様々な修正は、すぐに分かる。特定の実装形態で提供される特定の方法及びシステムの観点から、例示的な実施形態を主に説明する。しかし、方法及びシステムは、他の実装形態で有効に動作する。例えば、方法及びシステムを、ＩＯＬの観点から主に説明する。しかし、方法及びシステムを、コンタクトレンズ及び眼鏡で使用してもよい。
【００１２】
下記の説明において、開示の主題の説明を容易にするために、詳細を一例として示す。しかし、開示の実施形態が、例示であり、全ての可能な実施形態を網羅していないことは、当業者にとって明らかであるはずである。
【００１３】
ここで使用されるように、参照符号のハイフン付きの形は、要素の特定のインスタンスを意味し、参照符号のハイフンなしの形は、総称要素を意味する。従って、例えば、デバイス「１２−１」は、総称してデバイス「１２」と呼ばれるデバイスクラスのインスタンスを意味し、一般的にデバイス「１２」と呼ばれるもののうち何れか１つを意味する。
【００１４】
白内障治療、又は人の水晶体と従来単焦点ＩＯＬとの交換の後、患者の視力は老眼になる。従来の解決策は、多焦点眼内レンズ（ＭＩＯＬ）設計又は拡大焦点深度（ＥＤＦ）設計を必要としている。幾つかの二焦点ＩＯＬは、遠距離及び近距離で同時に良好な視力を患者に与えることができる。しかし、このような二焦点レンズを埋め込まれた患者は一般的に、不満足な中距離視力を有する。中距離範囲に対して追加屈折力を有する二焦点ＩＯＬを使用する場合、より良好な中距離視力が得られることがあるが、近距離視力がより悪くなる。特定の三焦点ＩＯＬは、遠距離から近距離までの視力の連続性の欠如にもかかわらず、ある程度の遠距離、中距離及び近距離の視力を患者に与えることがある。典型的なＥＤＦ  ＩＯＬは、焦点深度を中距離視力に制限しているが、ＥＤＦ  ＩＯＬを用いた患者の近距離視力をまだ妥協することがある。従って、上述のように、従来の多焦点ＩＯＬは、近距離から無限遠距離までの老眼矯正全視界を与えることができない。
【００１５】
より詳細に説明されるように、老眼を矯正し、近距離から無限遠距離までの全視界を与える完全焦点深度ＩＯＬを開示する。ここに開示の完全焦点深度ＩＯＬは、ＩＯＬが潜在的光障害に強いことを示す高効率の光エネルギー使用を与えてもよい。ここに開示の完全焦点深度ＩＯＬは、明順応開口を越える領域で屈折、二焦点及び三焦点設計を用いて、実施されてもよく、単焦点、二焦点又は三焦点中間順応視に近似する視力を与えることができる。ここに開示の完全焦点深度ＩＯＬは、人の水晶体の交換の後、全視界を回復させてもよい。
【００１６】
ここに開示の完全焦点深度ＩＯＬなどの回折眼科用レンズを、光学的開口に基づいて構成してもよい。この眼科用レンズは、前面、後面、及び複数のエシュレットを含む少なくとも１つの回折構造を有してもよい。回折構造を、前面又は後面に設置してもよい。回折構造は、明順応開口における眼科用レンズに老眼矯正完全焦点深度を与えながら、回折構造の異なる実施形態によって中間順応開口に様々な種類の性能特性を与えてもよい。
【００１７】
例えば、明順応開口に設置された回折構造は、様々な明順応貫通焦点性能（例えば、距離主、近主、又は任意の他の所望の性能特性）をもたらしてもよい。明順応開口に設置された回折構造を、明順応開口を越え、中間順応開口内の領域における第２の回折構造と組み合わせてもよい。例えば、第２の回折構造は、第２の回折構造が、屈折性能だけを与え、眼科用レンズの中間順応開口に単焦点のような貫通焦点性能を与えることを意味するヌルであってもよい。更なる例では、第２の回折構造は、二焦点構造であってもよく、眼科用レンズの中間順応開口に二焦点のような貫通焦点性能を与えてもよい。更に別の例では、第２の回折構造は、三焦点構造であってもよく、眼科用レンズの中間順応開口に三焦点のような貫通焦点性能を与えてもよい。
【００１８】
さて、図１の図面について説明する。ＩＯＬ１０１は、眼科で使用される任意の種類のＩＯＬを示してもよい。図示のように、ＩＯＬ１０１は、便宜的に例示的な構成で示す、光学ゾーン１１０（ここで、単に「光学部」とも呼ばれる）、及び２つの触覚部１１２−１、１１２−２を含む。様々な実装形態において、ＩＯＬ１０１は、異なるタイプ及び数の触覚部１１２を含んでもよい。幾つかの実装形態において、ＩＯＬ１０１は、触覚部を有しなくてもよい。光学ゾーン１１０及び触覚部１１２のために使用される材料は、異なっていてもよい。例えば、ＩＯＬ１０１は、例えばポリメタクリル酸メチル（ＰＭＭＡ）レンズを含む光学ゾーン１１０を有する、折り畳まれていない硬質ＩＯＬであってもよい。幾つかの実装形態において、ＩＯＬ１０１は、可撓性ＩＯＬであってもよく、光学ゾーン１１０は、様々な材料（例えば、シリコーン、疎水性アクリル、親水性アクリル、ヒドロゲル、コラーゲン共重合体、又はこれらの組み合わせ）を含んでもよい。ＩＯＬ１０１において、触覚部１１２は、様々な材料（例えば、ポリプロピレン、ポリメタクリル酸メチル（ＰＭＭＡ）、疎水性アクリル、親水性アクリル、シリコーン、又はこれらの組み合わせ）を含んでもよい。光学ゾーン１１０を、指定の光屈折を有するように設計してもよく、又は複数の光屈折力を有する多焦点素子として設計してもよい。
【００１９】
特に、老眼を矯正し、近距離から無限遠距離までの全視界を与える完全焦点深度ＩＯＬを用いて、光学ゾーン１１０を実施してもよい。従って、本開示は、通常の屈折単焦点ＩＯＬ光学部の１つの面に組み込まれる微細構造を対象にする。この微細構造は、ベースＩＯＬ光学部自体と同じ材料内にパターンとして形成される。微細構造は、ＩＯＬ光学部の老眼矯正焦点深度特性の非常に長い拡大をもたらす入射光子の光路に位相摂動を導入する。例えば、焦点深度を、遠距離又は無限遠距離から近距離まで連続的に拡大する。下記の図２の開口によって記載のように、全被写界深度明順応視を患者に与えるために、位相摂動を、レンズ開口の中央領域に制限してもよい。
【００２０】
位相摂動は、多くの不連続同心領域に分布されてもよく、ＩＯＬ開口（図２参照）における異なる領域に異なっていてもよい。従って、明順応視及び中間順応視の異なる要求を満たすために、完全焦点深度ＩＯＬは、瞳孔サイズ依存性能を与えてもよい。
【００２１】
さて、図２について説明する。図２は、瞳孔の接眼レンズ開口２００の図を示す。明順応開口２０２は、明るい条件下で、例えば、昼光条件で、又は約３カンデラ毎平方メートル（ｃｄ／ｍ2）以上の周辺光強度で、瞳孔開口を示す。中間順応開口２０４は、明順応開口２０２よりも大きく、薄暗い条件下で、例えば、月光下で、又は約３ｃｄ／ｍ2と約０．０１ｃｄ／ｍ2との間の周辺光強度で、瞳孔開口を示す。より詳細に後述されるように、明順応開口２０２及び中間順応開口２０４に対応する位置で光学ゾーン１１０の材料に形成されている微細構造表面パターンを用いて、ここに開示の完全焦点深度ＩＯＬを実施してもよい。
【００２２】
記載のように、全被写界深度ＩＯＬの明順応開口における位相摂動は、老眼矯正完全焦点深度明順応視を与えてもよい。図３Ａ及び図３Ｂは、図７Ａ及び図９Ａにそれぞれ詳細に後述されて示される２つの異なるタイプの位相摂動設計に起因する焦点分布を通る２つのタイプの明順応エネルギーを例示する。
【００２３】
さて、図３Ａについて説明する。図３Ａは、貫通焦点エネルギー線図３００−１対焦点深度を示す。線図３００−１において、光子エネルギーは、焦点ぼけ深度に対して作図され、光子エネルギーを遠距離から近距離にわたって分布させる方法を示す。特に、線図３００−１は、遠距離から近距離まで連続焦点深度を有する明順応視を与える遠距離主エネルギー曲線を示すことが分かる（図４Ａも参照）。
【００２４】
さて、図３Ｂについて説明する。図３Ｂは、貫通焦点エネルギー線図３００−２対焦点深度を示す。線図３００−２において、光子エネルギーは、焦点ぼけ深度に対して作図され、光子エネルギーを遠距離から近距離にわたって分布させる方法を示す。特に、線図３００−２は、遠距離から近距離まで連続焦点深度を有する明順応視を与える近距離主エネルギー曲線を示すことが分かる（図４Ｂも参照）。
【００２５】
さて、図４Ａについて説明する。図４Ａは、貫通焦点エネルギー線図３００−１に対応するレンズ設計に対して貫通焦点文字チャート像４００−１を示す。図４Ａにおける５つのチャート像は、表１における焦点ぼけ距離にそれぞれ対応する。
【００２６】
【表１】
2021520875.tif 000003
【００２７】
図４Ａにおける文字チャート像（チャート像４０２−遠、チャート像４０４−遠−中、チャート像４０６−中、チャート像４０８−中−近、及びチャート像４１０−近）は、表１における距離にそれぞれ対応する。チャート像４００−１は、距離の図示の範囲にわたって焦点深度が連続的であることを示す。
【００２８】
さて、図４Ｂについて説明する。図４Ｂは、貫通焦点エネルギー線図３００−２に対応するレンズ設計に対して貫通焦点文字チャート像４００−２を示す。図４Ｂにおける５つのチャート像（チャート像４１２−遠、チャート像４１４−遠−中、チャート像４１６−中、チャート像４１８−中−近、及びチャート像４２０−近）は、表１における焦点ぼけ距離にそれぞれ対応する。チャート像４００−２は、距離の図示の範囲にわたって焦点深度が連続的であることを示す。
【００２９】
さて、図５Ａについて説明する。図５Ａは、明順応完全焦点深度（ＦＤｏＦ）微細構造５００を断面形状として示す。明順応ＦＤｏＦ微細構造５００は、明順応開口２０２にわたって延在するが、明順応開口２０２を越えて中間順応開口２０４まで延在しない。明順応開口２０２と中間順応開口２０４との間の位置で、通常の屈折補正が行われる。明順応開口の外側の領域（ＲｏＰＡ）に対して、明順応微細構造５００は、単焦点のような中間順応視を与えるように屈折力を与える。従って、明順応ＦＤｏＦ微細構造５００は、明順応開口２０２に位相摂動を制限してもよく、明順応開口２０２を越えて位相摂動がなくてもよい。
【００３０】
さて、図５Ｂについて説明する。図５Ｂは、明順応微細構造５００（図５Ａ参照）に対して貫通焦点エネルギー線図５０１対焦点深度を示す。線図５０１において、光子エネルギーは、焦点ぼけ深度に対して作図され、光子エネルギーを遠距離から近距離にわたって分布させる方法を示す。特に、線図５０１は、単焦点レンズとの類似を示すが、単焦点レンズよりも大きいエネルギーを近距離に対して与えることが分かる。
【００３１】
さて、図６Ａについて説明する。図６Ａは、貫通焦点エネルギー線図５０１に示すような明順応微細構造５００の単焦点設計に対して中間順応開口貫通焦点文字チャート像６００−１を示す。図６Ａにおける５つのチャート像（チャート像６０２−遠、チャート像６０４−遠−中、チャート像６０６−中、チャート像６０８−中−近、及びチャート像６１０−近）は、表１における焦点ぼけ距離にそれぞれ対応する。チャート像６００−１は、遠像６０２が単焦点品質を有する一方、特に近距離に対して、中程度に連続的な焦点深度を維持することを示す。
【００３２】
さて、図６Ｂについて説明する。図６Ｂは、貫通焦点エネルギー線図５０１に示すような従来の単焦点ＩＯＬに対して貫通焦点文字チャート像６００−２を示す。図６Ｂにおける５つのチャート像（チャート像６１２−遠、チャート像６１４−遠−中、チャート像６１６−中、チャート像６１８−中−近、及びチャート像６２０−近）は、表１における焦点ぼけ距離にそれぞれ対応する。チャート像６００−２は、遠像６１２が単焦点品質を有する一方、チャート像６００−１と正反対に、焦点深度を維持しないことを示す。
【００３３】
さて、図７Ａについて説明する。図７Ａは、ＦＤｏＦ二焦点回折微細構造７００を断面形状として示す。ＦＤｏＦ二焦点回折微細構造７００は、明順応開口２０２にわたって延在してＦＤｏＦ特性を示し、明順応開口２０２を越えて中間順応開口２０４まで延在して二焦点特性を示す。ＦＤｏＦ二焦点回折微細構造７００は、図４Ａ又は図４Ｂの例示のようなＦＤｏＦ明順応視、及び二焦点のような中間順応視をもたらしてもよい。明順応開口２０２を越える位相摂動は、二焦点設計の形をとる。二焦点設計の段差高、段差幅、及び位相値を、詳細に後述される設計方法及び手順による所望の貫通焦点エネルギー分布に対して最適化してもよい。
【００３４】
さて、図７Ｂについて説明する。図７Ｂは、ＦＤｏＦ二焦点回折微細構造７００（図７Ａ参照）に対して貫通焦点エネルギー線図７０１対焦点深度を示す。線図７０１において、光子エネルギーは、焦点ぼけ深度に対して作図され、光子エネルギーを遠距離及び近距離にわたって分布させる方法を示す。特に、線図７０１は、図７Ａに示す特定の位相摂動の対応する中間順応性能を示すことが分かる。線図７０１において、２つの焦点（遠距離視力用の焦点及び近距離視力用の焦点）は、焦点深度によって識別でき、二焦点レンズとの相関関係は明らかである。
【００３５】
さて、図８Ａについて説明する。図８Ａは、貫通焦点エネルギー線図７０１に示すようなＦＤｏＦ二焦点回折微細構造７００に対して中間順応開口貫通焦点文字チャート像８００−１を示す。図８Ａにおける５つのチャート像（チャート像８０２−遠、チャート像８０４−遠−中、チャート像８０６−中、チャート像８０８−中−近、及びチャート像８１０−近）は、表１における焦点ぼけ距離にそれぞれ対応する。チャート像８００−１は、遠距離像８０２及び近距離像８１０の両方が高品質を有するという中間順応結像効果を示す一方、様々なレベルの焦点深度における中像に、様々な品質を更に形成する。
【００３６】
さて、図８Ｂについて説明する。図８Ｂは、貫通焦点エネルギー線図７０１に示すような従来の二焦点ＩＯＬに対して貫通焦点文字チャート像８００−２を示す。図８Ｂにおける５つのチャート像（チャート像８１２−遠、チャート像８１４−遠−中、チャート像８１６−中、チャート像８１８−中−近、及びチャート像８２０−近）は、表１における焦点ぼけ距離にそれぞれ対応する。チャート像８００−２は、遠距離像８１２及び近距離像８２０の両方が高品質を有することを示す一方、様々なレベルの焦点深度における中像がチャート像８００−１よりも悪い品質を有する。
【００３７】
さて、図９Ａについて説明する。図９Ａは、ＦＤｏＦ三焦点回折微細構造９００を断面形状として示す。ＦＤｏＦ三焦点回折微細構造９００は、明順応開口２０２にわたって延在してＦＤｏＦ特性を示し、明順応開口２０２を越えて中間順応開口２０４まで延在して三焦点特性を示す。ＦＤｏＦ三焦点回折微細構造９００は、図４Ａ又は図４Ｂの例示のようなＦＤｏＦ明順応視、及び三焦点のような中間順応視をもたらしてもよい。明順応開口２０２を越える位相摂動は、三焦点設計の形をとる。三焦点設計の段差高、段差幅、及び位相値を、詳細に後述される設計方法及び手順による所望の貫通焦点エネルギー分布に対して最適化してもよい。
【００３８】
さて、図９Ｂについて説明する。図９Ｂは、ＦＤｏＦ三焦点回折微細構造９００（図９Ａ参照）に対して貫通焦点エネルギー線図９０１対焦点深度を示す。線図９０１において、光子エネルギーは、焦点ぼけ深度に対して作図され、光子エネルギーを遠距離から近距離にわたって分布させる方法を示す。特に、線図９０１は、図９Ａに示す特定の位相摂動の対応する中間順応性能を示すことが分かる。線図９０１において、３つの焦点（遠距離視力用の焦点、中距離視力用の焦点、及び近距離視力用の焦点）は、焦点深度によって識別でき、三焦点レンズとの相関関係は明らかである。
【００３９】
さて、図１０Ａについて説明する。図１０Ａは、貫通焦点エネルギー線図９０１に示すようなＦＤｏＦ三焦点回折微細構造９００に対して中間順応開口貫通焦点文字チャート像１０００−１を示す。図１０Ａにおける５つのチャート像（チャート像１００２−遠、チャート像１００４−遠−中、チャート像１００６−中、チャート像１００８−中−近、及びチャート像１０１０−近）は、表１における焦点ぼけ距離にそれぞれ対応する。チャート像１０００−１は、遠距離像１００２、中距離像１００６及び近距離像１０１０が良い又は高い品質を有するという中間順応結像効果を示す一方、様々なレベルの焦点深度における他の中像に、連続像品質を更に形成する。
【００４０】
さて、図１０Ｂについて説明する。図１０Ｂは、貫通焦点エネルギー線図９０１に示すような従来の三焦点ＩＯＬに対して貫通焦点文字チャート像１０００−２を示す。図１０Ｂにおける５つのチャート像（チャート像１０１２−遠、チャート像１０１４−遠−中、チャート像１０１６−中、チャート像１０１８−中−近、及びチャート像１０２０−近）は、表１における焦点ぼけ距離にそれぞれ対応する。チャート像１０００−２は、遠距離像１０１２、中距離像１０１６及び近距離像１０２０が良い又は高い品質を有するという中間順応結像効果を示す。
【００４１】
図５Ａに示す明順応ＦＤｏＦ微細構造５００、図７Ａに示すＦＤｏＦ二焦点回折微細構造７００、及び図９Ａに示すＦＤｏＦ三焦点回折微細構造９００を全て、下記の方法及び手順に従って設計してもよい。ＦＤｏＦ明順応微細構造５００などの明順応微細構造を、段差パターンによって規定してもよい。この段差パターンは、例えば、多くの段差、段差高、段差幅、及び位相値を含む多くのパラメータを特徴としてもよい。様々な数の段差を用いて、明順応微細構造を設計してもよい。例えば、ＦＤｏＦ明順応微細構造５００を、６つの段差を用いた図５Ａに示す。しかし、６つの段差よりも多い又は少ない段差を用いて、明順応微細構造を設計してもよい。更に、他の段差パラメータを選択して、眼科用レンズの貫通焦点明順応開口性能を変更してもよい。
【００４２】
一旦明順応微細構造が選択されると、明順応微細構造を最適化してもよい。例えば、任意の適切な光学設計ソフトウェアプログラム（例えば、ＺＥＭＡＸ光学設計ソフトウェア）を用いて、明順応微細構造の性能をシミュレートしてもよい。この最適化工程中に、明順応微細構造に対応する貫通焦点明順応開口性能を計算してもよい。更に、基準貫通焦点明順応開口性能は、判定されてもよく、設計及び最適化工程を介して求められている目的又は目標の性能を表してもよい。例えば、基準貫通焦点明順応開口性能は、遠距離主性能又は近距離主性能であってもよい。明順応微細構造の貫通焦点明順応開口性能を、基準貫通焦点明順応開口性能と比較してもよい。第１の貫通焦点開口性能が基準貫通焦点明順応開口性能に十分に近似しない場合、明順応微細構造の段差パラメータを調整してもよい。
【００４３】
一旦段差パラメータが調整されると、調整明順応微細構造に対応する第２の貫通焦点明順応開口性能を計算してもよい。次に、この第２の貫通焦点明順応開口性能を、基準貫通焦点明順応開口性能と比較してもよい。第２の貫通焦点明順応開口性能が基準貫通焦点明順応開口性能に十分に近似した場合、眼科用レンズの製造及び形成時に、調整明順応微細構造を選択して実施してもよい。しかし、第２の貫通焦点明順応開口性能が基準貫通焦点明順応開口性能に十分に近似しない場合、調整明順応微細構造の段差パラメータを再度調整してもよい。場合によっては、第１の貫通焦点明順応開口性能が、第２の貫通焦点明順応開口性能よりも基準貫通焦点明順応開口性能に密接に近似することがある。この場合、それに応じて、調整明順応微細構造の段差パラメータを調整してもよい。基準貫通焦点明順応開口性能に十分に近似した貫通焦点明順応開口性能を有する明順応微細構造を与えるために、この工程を、必要に応じて何度でも繰り返してもよい。最後に、眼科用レンズの製造及び形成時に、基準貫通焦点明順応開口性能に最も密接に近似した貫通焦点明順応開口性能を有する明順応微細構造を、選択して実施してもよい。
【００４４】
図７Ａに示す中間順応開口におけるＦＤｏＦ二焦点回折微細構造７００、及び図９Ａに示す中間順応開口におけるＦＤｏＦ三焦点回折微細構造９００などの中間順応微細構造を、段差パターンによって規定してもよい。この段差パターンは、例えば、多くの段差、段差高、段差幅、及び位相値を含む多くのパラメータを特徴としてもよい。様々なタイプの貫通焦点中間順応開口性能を与えるように、中間順応微細構造を設計してもよい。例えば、二焦点貫通焦点中間順応開口性能に近似するように、ＦＤｏＦ二焦点回折微細構造７００を設計してもよく、三焦点貫通焦点中間順応開口性能に近似するように、ＦＤｏＦ三焦点回折微細構造９００を設計する。しかし、様々な段差パラメータの選択によって、他の貫通焦点中間順応開口性能に近似するように、中間順応微細構造を設計してもよい。
【００４５】
一旦中間順応微細構造が選択されると、中間順応微細構造を最適化してもよい。例えば、任意の適切な光学設計ソフトウェアプログラム（例えば、ＺＥＭＡＸ光学設計ソフトウェア）を用いて、中間順応微細構造をシミュレートしてもよい。この最適化工程中に、中間順応微細構造に対応する貫通焦点中間順応開口性能を計算してもよい。更に、基準貫通焦点中間順応開口性能は、判定されてもよく、設計及び最適化工程を介して求められている目的又は目標の性能を表してもよい。例えば、基準貫通焦点中間順応開口性能は、上述のような二焦点又は三焦点性能であってもよい。中間順応微細構造の貫通焦点中間順応開口性能を、基準貫通焦点中間順応開口性能と比較してもよい。第１の貫通焦点中間順応開口性能が基準貫通焦点中間順応開口性能に十分に近似しない場合、中間順応微細構造の段差パラメータを調整してもよい。
【００４６】
一旦段差パラメータが調整されると、調整中間順応微細構造に対応する第２の貫通焦点中間順応開口性能を計算してもよい。次に、この第２の貫通焦点中間順応開口性能を、基準貫通焦点中間順応開口性能と比較してもよい。第２の貫通焦点中間順応開口性能が基準貫通焦点中間順応開口性能に十分に近似した場合、眼科用レンズの製造及び形成時に、調整中間順応微細構造を選択して実施してもよい。しかし、第２の貫通焦点中間順応開口性能が基準貫通焦点中間順応開口性能に十分に近似しない場合、調整中間順応微細構造の段差パラメータを再度調整してもよい。場合によっては、第１の貫通焦点中間順応開口性能が、第２の貫通焦点中間順応開口性能よりも基準貫通焦点中間順応開口性能に密接に近似することがある。この場合、それに応じて、調整中間順応微細構造の段差パラメータを調整してもよい。基準貫通焦点中間順応開口性能に十分に近似した貫通焦点中間順応開口性能を有する中間順応微細構造を与えるために、この工程を、必要に応じて何度でも繰り返してもよい。最後に、眼科用レンズの製造及び形成時に、基準貫通焦点中間順応開口性能に最も密接に近似した貫通焦点中間順応開口性能を有する中間順応微細構造を、選択して実施してもよい。
【００４７】
一旦明順応微細構造及び中間順応微細構造の両方が選択されると、眼科用レンズの明順応開口における選択順応微細構造、及び眼科用レンズの中間順応開口における選択中間順応微細構造を用いて、眼科用レンズを形成して製造してもよい。眼科用レンズは、老眼矯正完全焦点深度視を与えてもよい。
【００４８】
ここに開示のように、完全焦点深度ＩＯＬは、明順応視及び中間順応視を改善するために焦点深度を拡大するＩＯＬ光学材料の表面に形成された回折構造を含む。
【００４９】
上述の開示の主題は、例示であり、限定しないものと考えられるべきであり、添付の特許請求の範囲は、本開示の真の精神及び範囲に含まれる全てのこのような修正、改善、及び他の実施形態を含むように意図されている。従って、法律が許す最大限の範囲で、本開示の範囲は、下記の特許請求の範囲及び特許請求の範囲の均等物の最も広い許容解釈によって決められるべきであり、上述の詳細な説明によって制限又は限定されるべきではない。
【図１】
2021520875.tif 000004
【図２】
2021520875.tif 000005
【図３Ａ−３Ｂ】
2021520875.tif 000006
【図４Ａ−４Ｂ】
2021520875.tif 000007
【図５Ａ−５Ｂ】
2021520875.tif 000008
【図６Ａ−６Ｂ】
2021520875.tif 000009
【図７Ａ−７Ｂ】
2021520875.tif 000010
【図８Ａ−８Ｂ】
2021520875.tif 000011
【図９Ａ−９Ｂ】
2021520875.tif 000012
【図１０Ａ−１０Ｂ】
2021520875.tif 000013
【国際調査報告】
2021520875.tif 000014
2021520875.tif 000015
2021520875.tif 000016